(57)【要約】  サーバ装置１０は、ニオイセンサ４０からセンサデータを収集する端末装置２０に通信可能に接続されている。サーバ装置１０は、センサデータに基づき、特定のニオイ解析対象を解析するための解析器を複数保持する、解析器保持部１１と、解析器を選択し、選択した解析器に応じて、センサデータに行うべき前処理を決定し、端末装置２０に前処理を実行させる、解析器管理部１２と、端末装置からの前処理後のセンサデータに、選択した解析器を適用して、指定されたニオイ解析対象の解析処理を実行する、解析実行部１３と、解析処理の結果を示す情報を端末装置２０に送信する、解析結果送信部１４とを備えている。
2019069958.tif 000002
【特許請求の範囲】
【請求項１】
複数種類のニオイに反応してセンサデータを出力する、ニオイセンサから、前記センサデータを収集する、端末装置に通信可能に接続されたサーバ装置であって、
前記センサデータに基づき、特定のニオイ解析対象を解析するための解析器を複数保持する、解析器保持部と、
複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、解析器管理部と、
前記端末装置から、前処理後の前記センサデータが送信されてくると、送信されてきた前処理後の前記センサデータに、選択した前記解析器を適用して、指定されたニオイ解析対象の解析処理を実行する、解析実行部と、
解析処理の結果を示す情報を前記端末装置に送信する、解析結果送信部と、
を備えていることを特徴とするサーバ装置。
【請求項２】
前記端末装置を介して、解析対象と、解析の際の精度とが指定されており、
前記解析器管理部が、複数の前記解析器の中から、指定された解析対象を解析可能であり、且つ、指定された精度を達成可能である、解析器を選択する、
請求項１に記載のサーバ装置。
【請求項３】
前記端末装置において実行されるアプリケーションプログラムによって、１又は２以上のニオイ解析対象と、解析の際の精度とが指定される、
請求項２に記載のサーバ装置。
【請求項４】
前記解析器管理部が、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
請求項１〜３のいずれかに記載のサーバ装置。
【請求項５】
前記解析実行部が、解析処理の結果から、指定されたニオイ解析対象のレベルを推定し、
前記解析結果送信部が、解析処理の結果を示す情報として、推定された前記ニオイ解析対象のレベルを示す情報を前記端末装置に送信する、
請求項１〜４のいずれかに記載のサーバ装置。
【請求項６】
複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果示す情報を保持する、ステップと、
を有することを特徴とするニオイセンサデータ解析方法。
【請求項７】
複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させる命令を含む、プログラムを記録しているコンピュータ読み取り可能な記録媒体。
【請求項８】
前記端末装置を介して、解析対象と、解析の際の精度とが指定されており、
前記（ｂ）のステップにおいて、複数の前記解析器の中から、指定された解析対象を解析可能であり、且つ、指定された精度を達成可能である、解析器を選択する、
請求項７に記載のコンピュータ読み取り可能な記録媒体。
【請求項９】
前記端末装置において実行されるアプリケーションプログラムによって、１又は２以上のニオイ解析対象と、解析の際の精度とが指定される、
請求項８に記載のコンピュータ読み取り可能な記録媒体。
【請求項１０】
前記（ｂ）のステップにおいて、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
請求項７〜９のいずれかに記載のコンピュータ読み取り可能な記録媒体。
【請求項１１】
前記（ｃ）のステップにおいて、解析処理の結果から、指定された解析対象のレベルを推定し、
前記（ｄ）のステップにおいて、解析処理の結果を示す情報として、推定された前記解析対象のレベルを示す情報を前記端末装置に送信する、
請求項７〜１０のいずれかに記載のコンピュータ読み取り可能な記録媒体。
【請求項１２】
複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果示す情報を保持する、ステップと、
を実行させる命令を含むプログラムを記録しているコンピュータ読み取り可能な記録媒体。
【請求項１３】
前記プログラムが、前記コンピュータに、
（ｅ）１又は２以上のニオイ解析対象の指定を受け付け、指定されたニオイ解析対象の情報を前記サーバ装置に通知する、ステップを実行させる命令を更に含む、
請求項１２に記載のコンピュータ読み取り可能な記録媒体。
【請求項１４】
前記プログラムが、前記コンピュータに、
（ｇ）アプリケーションプログラムを実行する、ステップを実行させ命令を更に含み、
前記（ｅ）のステップにおいて、前記アプリケーションプログラムによる、１又は２以上のニオイ解析対象の指定と、指定されたニオイ解析対象を解析する際の精度の指定とを受け付け、指定されたニオイ解析対象と指定された精度とを前記サーバ装置に通知する、請求項１３に記載のコンピュータ読み取り可能な記録媒体。
【請求項１５】
前記（ｂ）のステップにおいて、
前記サーバ装置において、選択された解析器に応じて、前記センサデータから抽出すべき特徴量が特定され、特定された特徴量を抽出する処理が、前処理として決定され、決定された前処理を実行するためのプログラムモジュールが送信されてきた場合に、
前記プログラムモジュールを実行して、決定された前処理を実行する、
請求項１２〜１４のいずれかに記載のコンピュータ読み取り可能な記録媒体。
【請求項１６】
前記（ｅ）のステップにおいて、ニオイ解析対象となる物質の名称以外の情報を受け付けた場合に、受け付けた情報に関連する物質を特定し、特定した物質をニオイ解析対象とする、
請求項１３に記載のコンピュータ読み取り可能な記録媒体。
【請求項１７】
前記（ｄ）のステップにおいて、
前記サーバ装置において、指定されたニオイ解析対象の解析処理の結果から、指定されたニオイ解析対象のレベルが推定された場合に、解析処理の結果を示す情報として、推定された前記ニオイのレベルを保持し、更に、推定された前記ニオイのレベルを画面上に表示する、
請求項１２〜１６のいずれかに記載のコンピュータ読み取り可能な記録媒体。
【発明の詳細な説明】
【技術分野】
【０００１】
本発明は、雰囲気中の物質に基づき香り又はニオイの検出が可能なニオイセンサを用いてニオイセンサデータの解析を行うための、サーバ装置、及びニオイセンサデータ解析方法に関し、更には、これらを実現するためのプログラムを記録しているコンピュータ読み取り可能な記録媒体に関する。
【背景技術】
【０００２】
従来から、特定のニオイを検出するためにニオイセンサが用いられている（例えば、特許文献１及び２参照。）。ニオイセンサは、センサ素子によって、特定のニオイの元となる空気中の化学物質を検出することによって、特定のニオイを検出する。また、センサ素子の例としては、金属酸化物、有機半導体薄膜等が挙げられる。このようなセンサ素子では、特定の化学物質が付着すると導電性が変化することから、特定の化学物質の検知が可能となる。【０００３】
ところで、従来からのニオイセンサでは、検出できる化学物質が固定されるため、検出されるニオイも固定され、汎用性に乏しいという問題がある。これに対して、近年においては、幅広い物質を検出できる膜型表面応力センサ（ＭＳＳ：Membrane-type Surface stress Sensor）が新たに提案されている（非特許文献１参照）。【０００４】
ＭＳＳは、通常、２つ以上のＭＳＳ素子で構成されている。各ＭＳＳ素子は、感応膜が設けられた円形部分と、円形部分を囲むフレームと、円形部分をフレームに連結するための複数のブリッジとを備えている。そして、各ブリッジにはピエゾ抵抗素子が埋め込まれている。このような構成において、感応膜に物質が吸着すると、感応膜に応力が生じて円形部分が変形するため、各ブリッジに応力がかかる。この結果、ブリッジに埋め込まれたピエゾ抵抗素子の電気抵抗が大きく変化することから、抵抗値の値から吸着した物質の検出が可能となる。【０００５】
また、ＭＳＳにおいては、ＭＳＳ素子毎に、感応膜の材質が異なっているが、各ＭＳＳ素子に吸着する物質の種類は１種類に固定されているわけではない。各ＭＳＳ素子の感応膜の材質は、各ＭＳＳ素子の出力データを合成して得られるＭＳＳ全体の出力データのパターンが、ニオイ、即ち、ニオイを構成する各種物質の集合に応じて異なるように設定されている。このため、ＭＳＳでは、予め機械学習によって、解析対象となるニオイ毎に、出力パターンを学習して解析器を作成することにより、多種類のニオイの検出が可能となる。【０００６】
なお、ＭＳＳ以外も含む特性の異なる複数のニオイセンサを用い、各ニオイセンサからのデータを組合せて機械学習による解析を行い、対象毎に、ニオイの解析器を生成する手法もある。【０００７】
また、このようなニオイセンサにおいて、近年、ＩｏＴ（Internet of Things）分野において注目されているエッジコンピューティングを適用することが、有効となる。理由は以下の通りである。【０００８】
まず、エッジコンピューティングでは、複数のセンサに比較的近い場所に配置されるエッジと呼ばれる小規模のコンピュータシステムによってセンサデータを収集できる。また、エッジに、収集したセンサデータに対する、データ量の削減処理及び特徴量抽出処理といった前処理を行わせ、クラウドに、解析器を用いた解析処理を行わせることができる。従って、ニオイセンサに、エッジコンピューティングを適用した場合は、処理を分散でき、センサデータを効率良く処理することができる。
【先行技術文献】
【特許文献】
【０００９】
【特許文献１】特許第６１２１０１４号公報
【特許文献２】特許第５５８２８０３号公報
【非特許文献】
【００１０】
【非特許文献１】「嗅覚センサーの業界標準を目指す「MSSアライアンス」発足〜MSS技術実用化に向けた基礎的要素技術確立を目指して〜」，［online］，２０１５年９月２９日，日本電気株式会社，［平成27年9月1日検索］，インターネット＜URL：http://jpn.nec.com/press/201509/20150929_01.html＞
【発明の概要】
【発明が解決しようとする課題】
【００１１】
ところで、上述したように、エッジコンピューティングでは、エッジは、収集したセンサデータに対して、データ量の削減及び特徴量抽出といった前処理を行ってセンサデータの解析を行うが、上述したように解析対象毎に解析器を変更する際には、前処理の内容も解析対象毎に異なってしまう。つまり、センサデータを使用する場合は、解析対象が変わる毎に、削減すべきセンサデータの範囲、種類及び抽出すべき特徴量も変わってしまう。このため、従来からのエッジコンピューティングを単にニオイセンサに適用しただけでは、運用中に自由に解析対象を変更することが困難である。【００１２】
一方、エッジが、収集したセンサデータを全てクラウドに送信するようにすれば、このような問題は解決できると考えられる。しかしながら、ＭＳＳ等のように特性の異なる複数のニオイセンサを組み合わせる場合においては、センサ素子毎にデータが出力されるので、例えば、サンプリングレートが１００Ｈｚ、センサ素子の数が４つであれば、２０秒間の計測でもデータ数は８０００個となってしまう。この場合、クラウドにおける処理負担が増大すると共に、通信回線が圧迫されてしまう。【００１３】
本発明の目的の一例は、上記問題を解消し、ニオイ解析対象が固定されていないニオイセンサに、エッジコンピューティングを適用した場合において、システムにおける負担を増加させることなく、解析対象の解析を可能にし得る、サーバ装置、ニオイセンサデータ解析方法、及びコンピュータ読み取り可能な記録媒体を提供することにある。
【課題を解決するための手段】
【００１４】
上記目的を達成するため、本発明の一側面におけるサーバ装置は、複数種類のニオイに反応してセンサデータを出力する、ニオイセンサから、前記センサデータを収集する、端末装置に通信可能に接続されたサーバ装置であって、
前記センサデータに基づき、特定のニオイ解析対象を解析するための解析器を複数保持する、解析器保持部と、
複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、解析器管理部と、
前記端末装置から、前処理後の前記センサデータが送信されてくると、送信されてきた前処理後の前記センサデータに、選択した前記解析器を適用して、指定されたニオイ解析対象の解析処理を実行する、解析実行部と、
解析処理の結果を示す情報を前記端末装置に送信する、解析結果送信部と、
を備えていることを特徴とする。【００１５】
上記目的を達成するため、本発明の一側面における端末装置は、複数種類のニオイに反応してセンサデータを出力する、ニオイセンサから、前記センサデータを収集するための、端末装置であって、
前記センサデータに基づき、特定のニオイ解析対象を解析するための解析器を複数保持する、サーバ装置に通信可能に接続されており、
前記センサデータを収集する、センサデータ収集部と、
前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、前処理部と、
前処理後の前記センサデータを、前記サーバ装置に送信する、センサデータ送信部と、
前記サーバ装置において、送信した前処理後の前記センサデータに、選択された前記解析器が適用されて、指定された解析対象の解析処理が実行された場合に、解析処理の結果示す情報を保持する、解析結果保持部と、
を備えていることを特徴とする。【００１６】
また、上記目的を達成するため、本発明の一側面におけるニオイセンサデータ解析方法は、複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果示す情報を保持する、ステップと、
を有することを特徴とする。【００１７】
更に、上記目的を達成するため、本発明の一側面における第１のコンピュータ読み取り可能な記録媒体は、複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させる命令を含むプログラムを記録していることを特徴とする。【００１８】
更に、上記目的を達成するため、本発明の一側面における第２のコンピュータ読み取り可能な記録媒体は、複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果示す情報を保持する、ステップと、
を実行させる命令を含むプログラムを記録していることを特徴とする。
【発明の効果】
【００１９】
以上のように本発明によれば、ニオイ解析対象が固定されていないニオイセンサに、エッジコンピューティングを適用した場合において、システムにおける負担を増加させることなく、解析対象の解析が可能となる。
【図面の簡単な説明】
【００２０】
【図１】図１は、本発明の実施の形態におけるサーバ装置及び端末装置の概略構成を示すブロック図である。
【図２】図２は、本発明の実施の形態におけるサーバ装置及び端末装置の構成をより具体的に示すブロック図である。
【図３】図３は、本発明の実施の形態における端末装置の外観を示す図である。
【図４】図４は、本発明の実施の形態においてニオイセンサが出力するセンサデータの一例を示す図である。
【図５】図５は、本発明の実施の形態において解析器の選択及び前処理の決定に用いられるテーブルの一例を示す図である。
【図６】図６（ａ）〜（ｃ）は、端末装置の画面に表示される情報の一例を示している。
【図７】図７は、本発明の実施の形態における端末装置の動作を示すフロー図である。
【図８】図８は、本発明の実施の形態におけるサーバ装置の動作を示すフロー図である。
【図９】図９は、本発明の実施の形態におけるサーバ装置及び端末装置の変形例の構成を示すブロック図である。
【図１０】図１０は、本発明の実施の形態における端末装置の変形例の外観を示す図である。
【図１１】図１１は、本発明の実施の形態における端末装置及びサーバ装置を実現するコンピュータの一例を示すブロック図である。
【発明を実施するための形態】
【００２１】
（実施の形態）
以下、本発明の実施の形態における、サーバ装置、端末装置、ニオイセンサデータ解析方法、及びプログラムについて、図１〜図１１を参照しながら説明する。
【００２２】
［装置構成］
最初に、本実施の形態におけるサーバ装置及び端末装置の概略構成について説明する。図１は、本発明の実施の形態におけるサーバ装置及び端末装置の概略構成を示すブロック図である。
【００２３】
図１に示す、サーバ装置１０及び端末装置２０は、ニオイセンサ４０を用いてニオイを解析するためのシステム３０を構成している。本実施の形態で用いられるニオイセンサ４０は、複数種類のニオイに反応してセンサデータを出力するセンサである。また、ニオイセンサ４０においては、センサデータに基づき、特定のニオイ解析対象を解析する解析器を幾つか用いることで、種々のニオイ解析対象の解析が可能となる。
【００２４】
本実施の形態において「ニオイ」には、人が嗅覚で感ずる香り又は匂いだけでなく、生物の病気、構造物の劣化等といった、解析が求められている対象の状況を反映している、生物の呼気又は排泄物から発生する気体分子、室内外の大気中に含まれる化学的組成要素（気体分子等）も含まれる。
【００２５】
また、「ニオイ解析対象」には、解析対象となるニオイそのもの、更には、ニオイの元となる疾病罹患、同じくニオイの元になる果物の熟度、同じくニオイの元となる構造物の劣化度等が含まれる。
【００２６】
図１に示すように、サーバ装置１０と端末装置２０とは互いに通信可能に接続されている。端末装置２０は、ニオイセンサ４０からセンサデータ（以降においては「ニオイセンサデータ」とも表記する。）を収集する。サーバ装置１０は、端末装置２０によって収集されたセンサデータに基づき、指定されたニオイ解析対象に対する解析処理を実行する。
【００２７】
また、図１に示すように、サーバ装置１０は、解析器保持部１１と、解析器管理部１２と、解析実行部１３と、解析結果送信部１４とを備えている。このうち、解析器保持部１１は、センサデータを分析して特定のニオイ解析対象を解析するための解析機器を複数保持している。
【００２８】
解析器管理部１２は、複数の解析器の中から、指定されたニオイ解析対象を解析可能な解析器を選択する。また、解析器管理部１２は、選択した解析器に応じて、センサデータに行うべき前処理を決定し、端末装置２０に、センサデータに対して、決定した前処理を実行させる。
【００２９】
解析実行部１３は、端末装置２０から、前処理後のセンサデータが送信されてくると、送信されてきた前処理後のセンサデータに、選択した解析器を適用して、指定されたニオイ解析対象の解析処理を実行する。解析結果送信部１４は、解析実行部１３による解析処理の結果を示す情報を、端末装置２０に送信する。
【００３０】
また、図１に示すように、端末装置２０は、センサデータ収集部２１と、前処理部２２と、センサデータ送信部２３と、解析結果保持部２４とを備えている。このうち、センサデータ収集部２１は、センサデータを収集する。
【００３１】
前処理部２２は、サーバ装置１０において、複数の解析器の中から、指定されたニオイ解析対象を解析可能な解析器が選択され、更に、選択された解析器に応じて、センサデータに行うべき前処理が決定された場合に、収集したセンサデータに対して、決定された前処理を実行する。
【００３２】
センサデータ送信部２３は、前処理後のセンサデータを、サーバ装置１０に送信する。解析結果保持部２４は、サーバ装置１０において、送信した前処理後のセンサデータに、選択された解析器が適用されて、指定されたニオイ解析対象の解析処理が実行された場合に、解析処理の結果を示す情報を受信し、これを保持する。
【００３３】
このように、本実施の形態では、ニオイセンサ４０は、サーバ装置１０と端末装置２０とを含むエッジコンピューティングで利用されている。そして、サーバ装置１０では、ニオイ解析対象に応じて、適切な解析器が選択されるので、ニオイセンサ４０によって種々のニオイ解析が可能となる。また、端末装置２０は、使用される解析器に応じて、即ち、ニオイ解析対象に応じて、センサデータに前処理を実行するため、必要なデータのみがサーバ装置１０に送信される。
【００３４】
このため、本実施の形態によれば、ニオイ解析対象が固定されていないニオイセンサに、エッジコンピューティングを適用した場合において、システムにおける負担を増加させることなく、ニオイ解析対象の解析が可能となる。
【００３５】
また、本実施の形態では、解析処理として、ニオイの元になる気体分子そのものを検出するだけでなく、疾病の罹患予測、構造物の劣化度予測等を行うこともできる。解析器を構築する際の機械学習の教師データとして、そのような予測結果を与えて、機械学習を行うことで、このような解析処理の実行が可能となる。この場合、生物の呼気から疾病の罹患の有無を解析したり、建物内の大気から構造物の劣化度などを解析したりすることができる。本実施の形態において、「解析対象」は、解析により得たい結果を意味している。上記の例では、疾病の罹患、構造物の劣化度が、解析対象に該当する。
【００３６】
続いて、図２〜図５を用いて、本実施の形態におけるサーバ装置１０及び端末装置２０の構成をより具体的に説明する。図２は、本発明の実施の形態におけるサーバ装置及び端末装置の構成をより具体的に示すブロック図である。図３は、本発明の実施の形態における端末装置の外観を示す図である。図４は、本発明の実施の形態においてニオイセンサが出力するセンサデータの一例を示す図である。図５は、本発明の実施の形態において解析器の選択及び前処理の決定に用いられるテーブルの一例を示す図である。図６（ａ）〜（ｃ）は、端末装置の画面に表示される情報の一例を示している。
【００３７】
まず、端末装置２０について具体的に説明する。図２に示すように、本実施の形態では、端末装置２０は、センサデータ収集部２１、前処理部２２、センサデータ送信部２３、及び解析結果保持部２４に加えて、プログラム実行部２５と、データ受付部２６とを更に備えている。
【００３８】
プログラム実行部２５は、端末装置２０に導入されているアプリケーションプログラムを実行する。アプリケーションプログラムとしては、ニオイセンサ４０によってセンシングされたニオイセンサデータを、端末装置２０およびサーバ装置１０によって解析された、ニオイセンサデータ解析結果に応じて処理を行うプログラムが挙げられる。具体的には、アプリケーションプログラムとしては、端末装置２０のユーザの息に含まれるアルコールを解析するプログラム、端末装置２０のユーザの体臭に含まれるニオイを解析するプログラム、果物のニオイから果物の熟度を解析するプログラム等が挙げられる。
【００３９】
また、本実施の形態では、アプリケーションプログラムが、１又は２以上のニオイ解析対象を指定する。更に、アプリケーションプログラムは、指定されたニオイ解析対象を解析する際の精度も指定する。
【００４０】
データ受付部２６は、端末装置２０上で動作するアプリケーションプログラムによる、１又は２以上のニオイ解析対象の指定と、指定されたニオイ解析対象を解析する際の精度の指定とを受け付ける。また、データ受付部２６は、指定されたニオイ解析対象と指定された精度とをサーバ装置１０に通知する。
【００４１】
また、データ受付部２６は、汎用的なアプリケーションプログラムインタフェース（ＡＰＩ）を備えている。データ受付部２６は、本実施の形態で説明するアプリケーションプログラム以外からの指定、例えば、ネットワークを介して他の装置から指定されたニオイの情報を受け付けることもできる。データ受付部２６が受け付けることが可能な情報は、ニオイそのものを構成する気体分子の他に、解析結果として得たいアルコール又は体臭に関する情報、生物の疾病罹患の情報、果物の熟度の情報、構造物の劣化度の情報等であっても良い。この解析対象情報に基づき、データ受付部２６は、予め登録されている解析器から適切な解析器を特定する。
【００４２】
また、本実施の形態では、端末装置２０は、スマートフォンといった通信機能を備えた端末装置（以下「通信端末」と表記する。）によって構成されており、更に、内部にニオイセンサ４０を備えている。このため、図３に示すように、端末装置２０は、表示装置２７を備えている。更に、端末装置２０の筐体には、ニオイセンサ４０に解析対象となるニオイを導くための窓２９が設けられている。また、図３において、２８は、端末装置２０の操作ボタンを示している。
【００４３】
また、本実施の形態において、ニオイセンサ４０としては、例えば、上述したＭＳＳが用いられる。この場合、ニオイセンサ４０が出力したセンサデータは、図４に示す通りとなる。図４の例では、ＭＳＳを構成するＭＳＳ素子の一つによって出力されたセンサデータが示されている。また、ニオイセンサ４０は、設定されたサンプリングレートでセンサデータを出力する。なお、図４に示されている、ｉ０、ｉ１、ｉ２、・・・は、出添字であり、これについては後述する。また、添字において「ｉ」は特定のＭＳＳ素子から出力されていることを示している。異なるＭＳＳ素子から出力された場合は、「ｉ」以外のアルファベットが割り当てられる。
【００４４】
続いて、サーバ装置１０について具体的に説明する。まず、本実施の形態において、解析器保持部１１によって保持されている各解析器は、予め機械学習によって作成された解析モデルである。解析モデルの作成は、例えば、学習データとして、テスト用のニオイと反応した時にニオイセンサ４０が出力したセンサデータを用い、教師データとしてテスト用のニオイを特定するデータを用いて、サポートベクトルマシンによって、センサデータの特徴を機械学習することによって行われる。
【００４５】
また、本実施の形態では、機械学習は、例えば、センサデータのスパース性を利用して行われている。つまり、解析対象となるニオイとセンサ素子との化学的な挙動、ニオイセンサ４０の物理的な特性は、センサデータ中の特定の部分に集約されて現れている。図４の例では、このような挙動及び特性は、センサデータの立ち上がり部分、波形の上部の平坦な部分等に現れている。従って、センサデータの特定の部分のみを用いた機械学習であっても、適切な解析モデルを構築できる。更に、機械学習に用いるデータのデータ点数によって、解析精度を決定することもできる。
【００４６】
このため、本実施の形態では、学習データとなるセンサデータの有効な部分のみを抽出して機械学習が行われても良い。例えば特徴量選択（feature selection）という技術を用いることにより、学習データとなるセンサデータから、学習および解析にとって有効な部分を特定し抽出することができる。また、このときに抽出される部分は、図４に示す添字によって特定され、特定された添字は、後述の前処理において利用される。
【００４７】
解析器管理部１２は、本実施の形態では、上述したように精度も指定されているので、複数の解析器の中から、指定されたニオイ解析対象を解析可能であり、且つ、指定された精度を達成可能である、解析器を選択する。
【００４８】
また、解析器管理部１２は、本実施の形態では、選択した解析器に応じて、センサデータから抽出すべき特徴量を特定する。そして、解析器管理部１２は、特定した特徴量を抽出する処理を、前処理として決定し、端末装置２０に、決定した前処理を実行するためのプログラムモジュール（以下「特徴量抽出モジュール」と表記する）を送信する。
【００４９】
具体的には、解析器管理部１２は、図５に示したテーブルを用いて、解析器の選択と、対応する前処理（特徴量抽出モジュール）の決定とを行っている。図５に示すように、テーブルにおいて、各行には、解析器毎に、対応する特徴量抽出モジュールと、解析対象情報と、解析精度と、添字リストとが登録されている。解析対象情報は、解析結果として得たい情報であり、具体的には、解析対象となるニオイそのものを構成する気体分子、呼気中のアルコール濃度、果実の熟度、特定の疾病罹患等が挙げられる。また、このテーブルにおいて、各行にある添字リストは、対応する解析器の学習に用いられたセンサデータを示すと共に、同じ行にある特徴量抽出モジュールによって抽出される特徴量も示している。
【００５０】
例えば、解析器１が選択されたとすると、特徴量抽出モジュール１が、端末装置２０に送信される。従って、端末装置２０では、前処理部２２は、特徴量抽出モジュール１を実行し、前処理として、センサデータから、添字リストにあるｉ０、．．．ｉ９９に該当するデータを特徴量として抽出する。
【００５１】
このように、本実施の形態では、前処理によってセンサデータの間引きが行われるため、システムにおける負担が軽減される。また、センサデータの間引きはニオイ解析対象に応じて選択された解析器に合わせて行われるので、ニオイの解析が可能となる。
【００５２】
また、本実施の形態では、解析実行部１３は、解析処理の結果から、解析されたニオイ解析対象のレベルを解析することもできる。具体的な一例としては、解析実行部１３は、解析されたニオイ分子の濃度に応じて、段階的なニオイのレベルを推定する。また、この場合、解析結果送信部１４は、解析処理の結果を示す情報として、推定したニオイのレベルを示す情報を端末装置２０に送信する。
【００５３】
これにより、端末装置２０において、解析結果保持部２４は、推定されたニオイのレベルを表示装置２７の画面上に表示することができる。また、本実施の形態において、端末装置２０は、図６（ａ）〜（ｃ）に示すように、表示装置２７の画面上に、ユーザによる操作を支援する情報を表示することができる。
【００５４】
［装置動作］
次に、本実施の形態におけるサーバ装置１０及び端末装置２０の動作について図７及び図８を用いて説明する。また、以下の説明においては、適宜図１〜図６を参照する。更に、本実施の形態では、サーバ装置１０及び端末装置２０を動作させることによって、ニオイセンサデータ解析方法が実施される。よって、本実施の形態におけるニオイデータ解析方法の説明は、以下のサーバ装置１０及び端末装置２０の動作説明に代える。
【００５５】
まず、図７を用いて端末装置２０の動作を具体的に説明する。図７は、本発明の実施の形態における端末装置の動作を示すフロー図である。
【００５６】
最初に、図７に示すように、端末装置２０において、プログラム実行部２５は、アプリケーションプログラムを実行する（ステップＡ１）。
【００５７】
次に、アプリケーションプログラムが、１又は２以上のニオイ解析対象と、指定されニオイ解析対象を解析する際の精度とを指定し、指定したニオイ解析対象と精度とをデータ受付部２６に入力する。データ受付部２６は、ニオイ解析対象と精度との指定を受け付ける（ステップＡ２）。続いて、データ受付部２６は、指定されたニオイ解析対象と指定された精度とをサーバ装置１０に通知する（ステップＡ３）。
【００５８】
ステップＡ３が実行されると、サーバ装置１０においては、後述する図８において、ステップＢ１〜Ｂ４が実行される。これにより、端末装置２０は、特徴量抽出モジュールを受信し、前処理部２２が、特徴量抽出モジュール１を用いて、前処理を実行する（ステップＡ４）。これにより、センサデータから、特徴量が抽出される。
【００５９】
次に、センサデータ送信部２３は、ステップＡ４によって前処理が行われたセンサデータ、即ち、抽出された特徴量をサーバ装置１０に送信する（ステップＡ５）。
【００６０】
ステップＡ５が実行されると、サーバ装置１０においては、後述する図８において、ステップＢ５〜Ｂ７が実行される。これにより、解析結果保持部２４は、サーバ装置１０から、解析処理の結果を示す情報を受信する（ステップＡ６）。そして、解析結果保持部２４は、受信した情報の内容を表示装置２７の画面上に表示する（ステップＡ７）。
【００６１】
続いて、図８を用いてサーバ装置１０の動作を具体的に説明する。図８は、本発明の実施の形態におけるサーバ装置の動作を示すフロー図である。
【００６２】
図７に示すステップＡ１〜Ａ３が実行されると、図８に示すように、サーバ装置１０は、ステップＡ２で指定されたニオイ解析対象と精度とを受信する（ステップＢ１）。
【００６３】
次に、解析器管理部１２は、解析器保持部１１に保持されている解析器の中から、指定されたニオイ解析対象を解析可能であり、且つ、指定された精度を達成可能である、解析器を選択する（ステップＢ２）。
【００６４】
次に、解析器管理部１２は、ステップＢ２で選択した解析器に対応する特徴量抽出モジュールを決定し（ステップＢ３）、決定した特徴量抽出モジュールを端末装置２０に送信する（ステップＢ４）。
【００６５】
具体的には、ステップＢ２〜Ｂ４では、解析器管理部１２は、まず、図５に示したテーブルから、指定されたニオイ解析対象を解析対象情報に照合して、適合する行を選択する。次に、解析器管理部１２は、選択した行の中から、解析精度が指定された精度に適合する行を特定する。更に、解析器管理部１２は、特定した行の中から、添字リストのサイズが最も小さい行を特定する。そして、解析器管理部１２は、この最後に特定した行に対応する解析器と特徴量抽出モジュールとを選択し、選択した特徴量抽出モジュールを端末装置４０に送信する。
【００６６】
ステップＢ４の実行後、端末装置２０において、ステップＡ４及びＡ５が実行される。次に、サーバ装置１０は、端末装置２０から送信されてきた前処理後のセンサデータを受信する（ステップＢ５）。
【００６７】
次に、解析実行部１３は、受信した前処理後のセンサデータに、ステップＢ２で選択した解析器を適用して、指定されたニオイ解析対象の解析処理を実行する（ステップＢ６）。その後、解析結果送信部１４は、ステップＢ６による解析処理の結果を示す情報を、端末装置２０に送信する。この後、端末装置２０において、ステップＡ６及びＡ７が実行される。
【００６８】
［実施の形態における効果］
以上のように、本実施の形態によれば、サーバ装置１０において適切な解析器と特徴量抽出モジュールとが選択され、その選択に応じて、端末装置２０が前処理を実行し、センサデータからの特徴量の抽出が行われる。この結果、最小限のデータのみがサーバ装置１０と端末装置２０との間で通信されると共に、指定されたニオイセンサデータ解析も適切に行われる。
【００６９】
［変形例］
図１及び図２に示した例では、端末装置２０は、通信端末によって構成され、内部にニオイセンサ４０を備えているが、本実施の形態において端末装置２０は、この構成に限定されるものではない。ここで、図９及び図１０を用いて、本実施の形態における端末装置２０の変形例について説明する。図９は、本発明の実施の形態におけるサーバ装置及び端末装置の変形例の構成を示すブロック図である。図１０は、本発明の実施の形態における端末装置の変形例の外観を示す図である。
【００７０】
図９に示すように、本変形例では、ニオイセンサ４０は、端末装置２０の外部に設けられている。また、図１０に示すように、ニオイセンサ４０は、通信端末である端末装置２０の外部接続用インターフェイスを介して、端末装置２０に接続される。
【００７１】
本変形例によれば、汎用の通信端末に、ニオイセンサ４０を接続することによって、雰囲気中の物質の検出を実行できる。また、ニオイセンサ４０は、本変形例では端末装置２０に直接接続されているが、両者の接続は通信可能に行われていれば良く、無線又は有線によって行われていても良い。
【００７２】
［プログラム１］
本実施の形態における第１のプログラムは、コンピュータに、図７に示すステップＡ１〜Ａ７を実行させるプログラムであれば良い。このプログラムをコンピュータにインストールし、実行することによって、本実施の形態における端末装置２０を実現することができる。この場合、コンピュータのプロセッサは、センサデータ収集部２１、前処理部２２、センサデータ送信部２３、解析結果保持部２４、プログラム実行部２５、及びデータ受付部２６として機能し、処理を行なう。また、コンピュータとしては、通信端末に搭載されたコンピュータ、汎用のコンピュータが挙げられる。
【００７３】
また、本実施の形態における第１のプログラムは、複数のコンピュータによって構築されたコンピュータシステムによって実行されても良い。この場合は、例えば、各コンピュータが、それぞれ、センサデータ収集部２１、前処理部２２、センサデータ送信部２３、解析結果保持部２４、プログラム実行部２５、及びデータ受付部２６のいずれかとして機能しても良い。
【００７４】
［プログラム２］
本実施の形態における第２のプログラムは、コンピュータに、図８に示すステップＢ１〜Ｂ７を実行させるプログラムであれば良い。このプログラムをコンピュータにインストールし、実行することによって、本実施の形態におけるサーバ装置１０を実現することができる。この場合、コンピュータのプロセッサは、解析器保持部１１、解析器管理部１２、解析実行部１３、及び解析結果送信部１４として機能し、処理を行なう。また、コンピュータとしては、汎用のコンピュータ、サーバコンピュータが挙げられる。
【００７５】
また、本実施の形態における第２のプログラムも、複数のコンピュータによって構築されたコンピュータシステムによって実行されても良い。この場合は、例えば、各コンピュータが、それぞれ、解析器保持部１１、解析器管理部１２、解析実行部１３、及び解析結果送信部１４のいずれかとして機能しても良い。
【００７６】
［物理構成］
ここで、本実施の形態における第１のプログラム又は第２のプログラムを実行可能なコンピュータの一例について図１１を用いて説明する。図１１は、本発明の実施の形態における端末装置及びサーバ装置を実現するコンピュータの一例を示すブロック図である。
【００７７】
図１１に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００７８】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７９】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００８０】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００８１】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００８２】
なお、本実施の形態におけるサーバ装置１０及び端末装置２０は、それぞれ、プログラムがインストールされたコンピュータではなく、各部に対応したハードウェアを用いることによっても実現可能である。更に、サーバ装置１０及び端末装置２０は、それぞれ、一部がプログラムで実現され、残りの部分がハードウェアで実現されていてもよい。
【００８３】
上述した実施の形態の一部又は全部は、以下に記載する（付記１）〜（付記２３）によって表現することができるが、以下の記載に限定されるものではない。
【００８４】
（付記１）
複数種類のニオイに反応してセンサデータを出力する、ニオイセンサから、前記センサデータを収集する、端末装置に通信可能に接続されたサーバ装置であって、
前記センサデータに基づき、特定のニオイ解析対象を解析するための解析器を複数保持する、解析器保持部と、
複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、解析器管理部と、
前記端末装置から、前処理後の前記センサデータが送信されてくると、送信されてきた前処理後の前記センサデータに、選択した前記解析器を適用して、指定されたニオイ解析対象の解析処理を実行する、解析実行部と、
解析処理の結果を示す情報を前記端末装置に送信する、解析結果送信部と、
を備えていることを特徴とするサーバ装置。
【００８５】
（付記２）
前記端末装置を介して、解析対象と、解析の際の精度とが指定されており、
前記解析器管理部が、複数の前記解析器の中から、指定された解析対象を解析可能であり、且つ、指定された精度を達成可能である、解析器を選択する、
付記１に記載のサーバ装置。
【００８６】
（付記３）
前記端末装置において実行されるアプリケーションプログラムによって、１又は２以上のニオイ解析対象と、解析の際の精度とが指定される、
付記２に記載のサーバ装置。
【００８７】
（付記４）
前記解析器管理部が、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
付記１〜３のいずれかに記載のサーバ装置。
【００８８】
（付記５）
前記解析実行部が、解析処理の結果から、指定された解析対象のレベルを推定し、
前記解析結果送信部が、解析処理の結果を示す情報として、推定された前記解析対象のレベルを示す情報を前記端末装置に送信する、
付記１〜４のいずれかに記載のサーバ装置。
【００８９】
（付記６）
複数種類のニオイに反応してセンサデータを出力する、ニオイセンサから、前記センサデータを収集するための、端末装置であって、
前記センサデータに基づき、特定のニオイ解析対象を解析するための解析器を複数保持する、サーバ装置に通信可能に接続されており、
前記センサデータを収集する、センサデータ収集部と、
前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、前処理部と、
前処理後の前記センサデータを、前記サーバ装置に送信する、センサデータ送信部と、
前記サーバ装置において、送信した前処理後の前記センサデータに、選択された前記解析器が適用されて、指定された解析対象の解析処理が実行された場合に、解析処理の結果示す情報を保持する、解析結果保持部と、
を備えていることを特徴とする端末装置。
【００９０】
（付記７）
１又は２以上のニオイ解析対象の指定を受け付け、指定された解析対象を前記サーバ装置に通知する、データ受付部を更に備えている、付記６に記載の端末装置。
【００９１】
（付記８）
アプリケーションプログラムを実行するプログラム実行部を更に備え、
前記データ受付部は、前記アプリケーションプログラムによる、１又は２以上のニオイ解析対象の指定と、指定されたニオイ解析対象を解析する際の精度の指定とを受け付け、指定されたニオイ解析対象と指定された精度とを前記サーバ装置に通知する、
付記７に記載の端末装置。
【００９２】
（付記９）
前記前処理部が、
前記サーバ装置において、選択された解析器に応じて、前記センサデータから抽出すべき特徴量が特定され、特定された特徴量を抽出する処理が、前処理として決定され、決定された前処理を実行するためのプログラムモジュールが送信されてきた場合に、
前記プログラムモジュールを実行して、決定された前処理を実行する、
付記６〜８のいずれかに記載の端末装置。
【００９３】
（付記１０）
前記データ受付部が、ニオイ解析対象の名称以外の情報を受け付けた場合に、受け付けた情報に関連する物質を特定し、特定した物質をニオイ解析対象とする、
付記７に記載の端末装置。
【００９４】
（付記１１）
前記解析結果保持部が、
前記サーバ装置において、指定されたニオイ解析対象の解析処理の結果から、指定されたニオイ解析対象のレベルが推定された場合に、解析処理の結果を示す情報として、推定された前記レベルを、画面上に表示する、
付記６〜１０のいずれかに記載の端末装置。
【００９５】
（付記１２）
複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果示す情報を保持する、ステップと、
を有することを特徴とするニオイセンサデータ解析方法。
【００９６】
（付記１３）
複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させる命令を含むプログラムを記録しているコンピュータ読み取り可能な記録媒体。
【００９７】
（付記１４）
前記端末装置を介して、解析対象と、解析の際の精度とが指定されており、
前記（ｂ）のステップにおいて、複数の前記解析器の中から、指定された解析対象を解析可能であり、且つ、指定された精度を達成可能である、解析器を選択する、
付記１３に記載のコンピュータ読み取り可能な記録媒体。
【００９８】
（付記１５）
前記端末装置において実行されるアプリケーションプログラムによって、１又は２以上のニオイ解析対象と、解析の際の精度とが指定される、
付記１４に記載のコンピュータ読み取り可能な記録媒体。
【００９９】
（付記１６）
前記（ｂ）のステップにおいて、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
付記１３〜１５のいずれかに記載のコンピュータ読み取り可能な記録媒体。
【０１００】
（付記１７）
前記（ｃ）のステップにおいて、解析処理の結果から、指定された解析対象のレベルを推定し、
前記（ｄ）のステップにおいて、解析処理の結果を示す情報として、推定された前記解析対象のレベルを示す情報を前記端末装置に送信する、
付記１３〜１６のいずれかに記載のコンピュータ読み取り可能な記録媒体。
【０１０１】
（付記１８）
複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果示す情報を保持する、ステップと、
を実行させる命令を含むプログラムを記録しているコンピュータ読み取り可能な記録媒体。
【０１０２】
（付記１９）
前記プログラムが、前記コンピュータに、
（ｅ）１又は２以上のニオイ解析対象の指定を受け付け、指定されたニオイ解析対象の情報を前記サーバ装置に通知する、ステップを実行させる命令を更に含む、
付記１８に記載のコンピュータ読み取り可能な記録媒体。
【０１０３】
（付記２０）
前記プログラムが、前記コンピュータに、
（ｇ）アプリケーションプログラムを実行する、ステップを実行させる命令を更に含み、
前記（ｅ）のステップにおいて、前記アプリケーションプログラムによる、１又は２以上のニオイ解析対象の指定と、指定されたニオイ解析対象を解析する際の精度の指定とを受け付け、指定されたニオイ解析対象と指定された精度とを前記サーバ装置に通知する、付記１９に記載のコンピュータ読み取り可能な記録媒体。
【０１０４】
（付記２１）
前記（ｂ）のステップにおいて、
前記サーバ装置において、選択された解析器に応じて、前記センサデータから抽出すべき特徴量が特定され、特定された特徴量を抽出する処理が、前処理として決定され、決定された前処理を実行するためのプログラムモジュールが送信されてきた場合に、
前記プログラムモジュールを実行して、決定された前処理を実行する、
付記１８〜２０のいずれかに記載のコンピュータ読み取り可能な記録媒体。
【０１０５】
（付記２２）
前記（ｅ）のステップにおいて、ニオイ解析対象となる物質の名称以外の情報を受け付けた場合に、受け付けた情報に関連する物質を特定し、特定した物質をニオイ解析対象とする、
付記１９に記載のコンピュータ読み取り可能な記録媒体。
【０１０６】
（付記２３）
前記（ｄ）のステップにおいて、
前記サーバ装置において、指定されたニオイ解析対象の解析処理の結果から、指定されたニオイ解析対象のレベルが推定された場合に、解析処理の結果を示す情報として、推定された前記ニオイのレベルを保持し、更に、推定された前記ニオイのレベルを画面上に表示する、
付記１８〜２２のいずれかに記載のコンピュータ読み取り可能な記録媒体。
【０１０７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１０８】
この出願は、２０１７年１０月３日に出願された日本出願特願２０１７−１９３９０１を基礎とする優先権を主張し、その開示の全てをここに取り込む。
【産業上の利用可能性】
【０１０９】
以上のように本発明によれば、ニオイ解析対象が固定されていないニオイセンサに、エッジコンピューティングを適用した場合において、システムにおける負担を増加させることなく、ニオイの解析が可能となる。本発明は、ニオイセンサが利用される種々の分野において有用である。
【符号の説明】
【０１１０】
１０  サーバ装置
１１  解析器保持部
１２  解析器管理部
１３  解析実行部
１４  解析結果送信部
２０  端末装置
２１  センサデータ収集部
２２  前処理部
２３  センサデータ送信部
２４  解析結果保持部
２５  プログラム実行部
２６  データ受付部
２７  表示装置
２８  操作ボタン
２９  窓
３０  システム
４０  ニオイセンサ
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019069958.tif 000003
【図２】
2019069958.tif 000004
【図３】
2019069958.tif 000005
【図４】
2019069958.tif 000006
【図５】
2019069958.tif 000007
【図６】
2019069958.tif 000008
【図７】
2019069958.tif 000009
【図８】
2019069958.tif 000010
【図９】
2019069958.tif 000011
【図１０】
2019069958.tif 000012
【図１１】
2019069958.tif 000013
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
複数種類のニオイに反応してセンサデータを出力する、ニオイセンサから、前記センサデータを収集する、端末装置に通信可能に接続されたサーバ装置であって、
前記センサデータに基づき、特定のニオイ解析対象を解析するための解析器を複数保持する、解析器保持部と、
複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、解析器管理部と、
前記端末装置から、前処理後の前記センサデータが送信されてくると、送信されてきた前処理後の前記センサデータに、選択した前記解析器を適用して、指定されたニオイ解析対象の解析処理を実行する、解析実行部と、
解析処理の結果を示す情報を前記端末装置に送信する、解析結果送信部と、
を備えていることを特徴とするサーバ装置。
【請求項２】
前記端末装置を介して、解析対象と、解析の際の精度とが指定されており、
前記解析器管理部が、複数の前記解析器の中から、指定された解析対象を解析可能であり、且つ、指定された精度を達成可能である、解析器を選択する、
請求項１に記載のサーバ装置。
【請求項３】
前記端末装置において実行されるアプリケーションプログラムによって、１又は２以上のニオイ解析対象と、解析の際の精度とが指定される、
請求項２に記載のサーバ装置。
【請求項４】
前記解析器管理部が、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
請求項１〜３のいずれかに記載のサーバ装置。
【請求項５】
前記解析実行部が、解析処理の結果から、指定されたニオイ解析対象のレベルを推定し、
前記解析結果送信部が、解析処理の結果を示す情報として、推定された前記ニオイ解析対象のレベルを示す情報を前記端末装置に送信する、
請求項１〜４のいずれかに記載のサーバ装置。
【請求項６】
複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果を示す情報を保持する、ステップと、
を有することを特徴とするニオイセンサデータ解析方法。
【請求項７】
複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させるプログラム。
【請求項８】
前記端末装置を介して、解析対象と、解析の際の精度とが指定されており、
前記（ｂ）のステップにおいて、複数の前記解析器の中から、指定された解析対象を解析可能であり、且つ、指定された精度を達成可能である、解析器を選択する、
請求項７に記載のプログラム。
【請求項９】
前記端末装置において実行されるアプリケーションプログラムによって、１又は２以上のニオイ解析対象と、解析の際の精度とが指定される、
請求項８に記載のプログラム。
【請求項１０】
前記（ｂ）のステップにおいて、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
請求項７〜９のいずれかに記載のプログラム。
【請求項１１】
前記（ｃ）のステップにおいて、解析処理の結果から、指定された解析対象のレベルを推定し、
前記（ｄ）のステップにおいて、解析処理の結果を示す情報として、推定された前記解析対象のレベルを示す情報を前記端末装置に送信する、
請求項７〜１０のいずれかに記載のプログラム。
【請求項１２】
複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果を示す情報を保持する、ステップと、
を実行させるプログラム。
【請求項１３】
前記プログラムが、前記コンピュータに、
（ｅ）１又は２以上のニオイ解析対象の指定を受け付け、指定されたニオイ解析対象の情報を前記サーバ装置に通知する、ステップを実行させる命令を更に含む、
請求項１２に記載のプログラム。
【請求項１４】
前記プログラムが、前記コンピュータに、
（ｇ）アプリケーションプログラムを実行する、ステップを実行させ命令を更に含み、
前記（ｅ）のステップにおいて、前記アプリケーションプログラムによる、１又は２以上のニオイ解析対象の指定と、指定されたニオイ解析対象を解析する際の精度の指定とを受け付け、指定されたニオイ解析対象と指定された精度とを前記サーバ装置に通知する、請求項１３に記載のプログラム。
【請求項１５】
前記（ｂ）のステップにおいて、
前記サーバ装置において、選択された解析器に応じて、前記センサデータから抽出すべき特徴量が特定され、特定された特徴量を抽出する処理が、前処理として決定され、決定された前処理を実行するためのプログラムモジュールが送信されてきた場合に、
前記プログラムモジュールを実行して、決定された前処理を実行する、
請求項１２〜１４のいずれかに記載のプログラム。
【請求項１６】
前記（ｅ）のステップにおいて、ニオイ解析対象となる物質の名称以外の情報を受け付けた場合に、受け付けた情報に関連する物質を特定し、特定した物質をニオイ解析対象とする、
請求項１３に記載のプログラム。
【請求項１７】
前記（ｄ）のステップにおいて、
前記サーバ装置において、指定されたニオイ解析対象の解析処理の結果から、指定されたニオイ解析対象のレベルが推定された場合に、解析処理の結果を示す情報として、推定された前記ニオイ解析対象のレベルを保持し、更に、推定された前記ニオイ解析対象のレベルを画面上に表示する、
請求項１２〜１６のいずれかに記載のプログラム。
【手続補正３】
【補正対象書類名】明細書
【補正対象項目名】０００１
【補正方法】変更
【補正の内容】
【０００１】
本発明は、雰囲気中の物質に基づき香り又はニオイの検出が可能なニオイセンサを用いてニオイセンサデータの解析を行うための、サーバ装置、及びニオイセンサデータ解析方法に関し、更には、これらを実現するためのプログラムに関する。
【手続補正４】
【補正対象書類名】明細書
【補正対象項目名】００１３
【補正方法】変更
【補正の内容】
【００１３】
本発明の目的の一例は、上記問題を解消し、ニオイ解析対象が固定されていないニオイセンサに、エッジコンピューティングを適用した場合において、システムにおける負担を増加させることなく、解析対象の解析を可能にし得る、サーバ装置、ニオイセンサデータ解析方法、及びプログラムを提供することにある。
【手続補正５】
【補正対象書類名】明細書
【補正対象項目名】００１５
【補正方法】変更
【補正の内容】
【００１５】
上記目的を達成するため、本発明の一側面における端末装置は、複数種類のニオイに反応してセンサデータを出力する、ニオイセンサから、前記センサデータを収集するための、端末装置であって、
前記センサデータに基づき、特定のニオイ解析対象を解析するための解析器を複数保持する、サーバ装置に通信可能に接続されており、
前記センサデータを収集する、センサデータ収集部と、
前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、前処理部と、
前処理後の前記センサデータを、前記サーバ装置に送信する、センサデータ送信部と、
前記サーバ装置において、送信した前処理後の前記センサデータに、選択された前記解析器が適用されて、指定された解析対象の解析処理が実行された場合に、解析処理の結果を示す情報を保持する、解析結果保持部と、
を備えていることを特徴とする。
【手続補正６】
【補正対象書類名】明細書
【補正対象項目名】００１６
【補正方法】変更
【補正の内容】
【００１６】
また、上記目的を達成するため、本発明の一側面におけるニオイセンサデータ解析方法は、複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果を示す情報を保持する、ステップと、
を有することを特徴とする。
【手続補正７】
【補正対象書類名】明細書
【補正対象項目名】００１７
【補正方法】変更
【補正の内容】
【００１７】
更に、上記目的を達成するため、本発明の一側面における第１のプログラムは、複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させることを特徴とする。
【手続補正８】
【補正対象書類名】明細書
【補正対象項目名】００１８
【補正方法】変更
【補正の内容】
【００１８】
更に、上記目的を達成するため、本発明の一側面における第２のプログラムは、複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果を示す情報を保持する、ステップと、
を実行させることを特徴とする。
【手続補正９】
【補正対象書類名】明細書
【補正対象項目名】００２７
【補正方法】変更
【補正の内容】
【００２７】
また、図１に示すように、サーバ装置１０は、解析器保持部１１と、解析器管理部１２と、解析実行部１３と、解析結果送信部１４とを備えている。このうち、解析器保持部１１は、センサデータを分析して特定のニオイ解析対象を解析するための解析器を複数保持している。
【手続補正１０】
【補正対象書類名】明細書
【補正対象項目名】００４３
【補正方法】変更
【補正の内容】
【００４３】
また、本実施の形態において、ニオイセンサ４０としては、例えば、上述したＭＳＳが用いられる。この場合、ニオイセンサ４０が出力したセンサデータは、図４に示す通りとなる。図４の例では、ＭＳＳを構成するＭＳＳ素子の一つによって出力されたセンサデータが示されている。また、ニオイセンサ４０は、設定されたサンプリングレートでセンサデータを出力する。なお、図４に示されている、ｉ０、ｉ１、ｉ２、・・・は、で添字であり、これについては後述する。また、添字において「ｉ」は特定のＭＳＳ素子から出力されていることを示している。異なるＭＳＳ素子から出力された場合は、「ｉ」以外のアルファベットが割り当てられる。
【手続補正１１】
【補正対象書類名】明細書
【補正対象項目名】００５４
【補正方法】変更
【補正の内容】
【００５４】
［装置動作］
次に、本実施の形態におけるサーバ装置１０及び端末装置２０の動作について図７及び図８を用いて説明する。また、以下の説明においては、適宜図１〜図６を参照する。更に、本実施の形態では、サーバ装置１０及び端末装置２０を動作させることによって、ニオイセンサデータ解析方法が実施される。よって、本実施の形態におけるニオイセンサデータ解析方法の説明は、以下のサーバ装置１０及び端末装置２０の動作説明に代える。
【手続補正１２】
【補正対象書類名】明細書
【補正対象項目名】００５８
【補正方法】変更
【補正の内容】
【００５８】
ステップＡ３が実行されると、サーバ装置１０においては、後述する図８において、ステップＢ１〜Ｂ４が実行される。これにより、端末装置２０は、特徴量抽出モジュール１を受信し、前処理部２２が、特徴量抽出モジュール１を用いて、前処理を実行する（ステップＡ４）。これにより、センサデータから、特徴量が抽出される。
【手続補正１３】
【補正対象書類名】明細書
【補正対象項目名】００８９
【補正方法】変更
【補正の内容】
【００８９】
（付記６）
複数種類のニオイに反応してセンサデータを出力する、ニオイセンサから、前記センサデータを収集するための、端末装置であって、
前記センサデータに基づき、特定のニオイ解析対象を解析するための解析器を複数保持する、サーバ装置に通信可能に接続されており、
前記センサデータを収集する、センサデータ収集部と、
前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、前処理部と、
前処理後の前記センサデータを、前記サーバ装置に送信する、センサデータ送信部と、
前記サーバ装置において、送信した前処理後の前記センサデータに、選択された前記解析器が適用されて、指定された解析対象の解析処理が実行された場合に、解析処理の結果を示す情報を保持する、解析結果保持部と、
を備えていることを特徴とする端末装置。
【手続補正１４】
【補正対象書類名】明細書
【補正対象項目名】００９５
【補正方法】変更
【補正の内容】
【００９５】
（付記１２）
複数種類のニオイに反応してセンサデータを出力する、ニオイセンサから、前記センサデータを収集する、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択し、選択した解析器に応じて、前記センサデータに行うべき前処理を決定する、ステップと、
（ｃ）前記端末装置によって、前記センサデータに対して、決定した前処理を実行する、ステップと、
（ｄ）前記端末装置によって、前処理後の前記センサデータを、前記サーバ装置に送信する、ステップと、
（ｅ）前記サーバ装置によって、前記端末装置から送信されてきた前処理後の前記センサデータに、選択した前記解析器を適用して、指定されたニオイ解析対象の解析処理を実行する、ステップと、
（ｆ）前記サーバ装置によって、解析処理の結果を示す情報を前記端末装置に送信する、ステップと、
（ｇ）前記端末装置によって、解析処理の結果を示す情報を保持する、ステップと、
を有することを特徴とするニオイセンサデータ解析方法。
【手続補正１５】
【補正対象書類名】明細書
【補正対象項目名】００９６
【補正方法】変更
【補正の内容】
【００９６】
（付記１３）
複数種類のニオイに反応してセンサデータを出力する、ニオイセンサから、前記センサデータを収集する、端末装置に通信可能に接続されたコンピュータに、
（ａ）前記センサデータに基づき、特定のニオイ解析対象を解析するための解析器を複数保持する、ステップと、
（ｂ）複数の前記解析器の中から、指定されたニオイ解析対象を解析可能な解析器を選択し、選択した解析器に応じて、前記センサデータに行うべき前処理を決定し、前記端末装置に、前記センサデータに対して、決定した前処理を実行させる、ステップと、
（ｃ）前記端末装置から、前処理後の前記センサデータが送信されてくると、送信されてきた前処理後の前記センサデータに、選択した前記解析器を適用して、指定されたニオイ解析対象の解析処理を実行する、ステップと、
（ｄ）解析処理の結果を示す情報を前記端末装置に送信する、ステップと、
を実行させるプログラム。
【手続補正１６】
【補正対象書類名】明細書
【補正対象項目名】００９７
【補正方法】変更
【補正の内容】
【００９７】
（付記１４）
前記端末装置を介して、解析対象と、解析の際の精度とが指定されており、
前記（ｂ）のステップにおいて、複数の前記解析器の中から、指定された解析対象を解析可能であり、且つ、指定された精度を達成可能である、解析器を選択する、
付記１３に記載のプログラム。
【手続補正１７】
【補正対象書類名】明細書
【補正対象項目名】００９８
【補正方法】変更
【補正の内容】
【００９８】
（付記１５）
前記端末装置において実行されるアプリケーションプログラムによって、１又は２以上のニオイ解析対象と、解析の際の精度とが指定される、
付記１４に記載のプログラム。
【手続補正１８】
【補正対象書類名】明細書
【補正対象項目名】００９９
【補正方法】変更
【補正の内容】
【００９９】
（付記１６）
前記（ｂ）のステップにおいて、選択した解析器に応じて、前記センサデータから抽出すべき特徴量を特定し、特定した特徴量を抽出する処理を、前処理として決定し、前記端末装置に、決定した前処理を実行するためのプログラムモジュールを送信する、
付記１３〜１５のいずれかに記載のプログラム。
【手続補正１９】
【補正対象書類名】明細書
【補正対象項目名】０１００
【補正方法】変更
【補正の内容】
【０１００】
（付記１７）
前記（ｃ）のステップにおいて、解析処理の結果から、指定された解析対象のレベルを推定し、
前記（ｄ）のステップにおいて、解析処理の結果を示す情報として、推定された前記解析対象のレベルを示す情報を前記端末装置に送信する、
付記１３〜１６のいずれかに記載のプログラム。
【手続補正２０】
【補正対象書類名】明細書
【補正対象項目名】０１０１
【補正方法】変更
【補正の内容】
【０１０１】
（付記１８）
複数種類のニオイに反応してセンサデータを出力する、ニオイセンサから、前記センサデータを収集し、且つ、前記センサデータに基づき、特定のニオイ解析対象を解析するための解析器を複数保持するサーバ装置に通信可能に接続されている、コンピュータに、
（ａ）前記センサデータを収集する、ステップと、
（ｂ）前記サーバ装置において、複数の前記解析器の中から、指定されたニオイ解析対象を解析可能な解析器が選択され、更に、選択された解析器に応じて、前記センサデータに行うべき前処理が決定された場合に、収集した前記センサデータに対して、決定された前処理を実行する、ステップと、
（ｃ）前処理後の前記センサデータを、前記サーバ装置に送信する、ステップと、
（ｄ）前記サーバ装置において、送信した前処理後の前記センサデータに、選択された前記解析器が適用されて、指定された解析対象の解析処理が実行された場合に、解析処理の結果を示す情報を保持する、ステップと、
を実行させる命令を含むプログラムを記録しているプログラム。
【手続補正２１】
【補正対象書類名】明細書
【補正対象項目名】０１０２
【補正方法】変更
【補正の内容】
【０１０２】
（付記１９）
前記プログラムが、前記コンピュータに、
（ｅ）１又は２以上のニオイ解析対象の指定を受け付け、指定されたニオイ解析対象の情報を前記サーバ装置に通知する、ステップを実行させる命令を更に含む、
付記１８に記載のプログラム。
【手続補正２２】
【補正対象書類名】明細書
【補正対象項目名】０１０３
【補正方法】変更
【補正の内容】
【０１０３】
（付記２０）
前記プログラムが、前記コンピュータに、
（ｇ）アプリケーションプログラムを実行する、ステップを実行させる命令を更に含み、
前記（ｅ）のステップにおいて、前記アプリケーションプログラムによる、１又は２以上のニオイ解析対象の指定と、指定されたニオイ解析対象を解析する際の精度の指定とを受け付け、指定されたニオイ解析対象と指定された精度とを前記サーバ装置に通知する、付記１９に記載のプログラム。
【手続補正２３】
【補正対象書類名】明細書
【補正対象項目名】０１０４
【補正方法】変更
【補正の内容】
【０１０４】
（付記２１）
前記（ｂ）のステップにおいて、
前記サーバ装置において、選択された解析器に応じて、前記センサデータから抽出すべき特徴量が特定され、特定された特徴量を抽出する処理が、前処理として決定され、決定された前処理を実行するためのプログラムモジュールが送信されてきた場合に、
前記プログラムモジュールを実行して、決定された前処理を実行する、
付記１８〜２０のいずれかに記載のプログラム。
【手続補正２４】
【補正対象書類名】明細書
【補正対象項目名】０１０５
【補正方法】変更
【補正の内容】
【０１０５】
（付記２２）
前記（ｅ）のステップにおいて、ニオイ解析対象となる物質の名称以外の情報を受け付けた場合に、受け付けた情報に関連する物質を特定し、特定した物質をニオイ解析対象とする、
付記１９に記載のプログラム。
【手続補正２５】
【補正対象書類名】明細書
【補正対象項目名】０１０６
【補正方法】変更
【補正の内容】
【０１０６】
（付記２３）
前記（ｄ）のステップにおいて、
前記サーバ装置において、指定されたニオイ解析対象の解析処理の結果から、指定されたニオイ解析対象のレベルが推定された場合に、解析処理の結果を示す情報として、推定された前記ニオイ解析対象のレベルを保持し、更に、推定された前記ニオイ解析対象のレベルを画面上に表示する、
付記１８〜２２のいずれかに記載のプログラム。
【手続補正２６】
【補正対象書類名】図面
【補正対象項目名】図９
【補正方法】変更
【補正の内容】
【図９】
2019069958.tif 000014
【国際調査報告】
2019069958.tif 000015
2019069958.tif 000016
2019069958.tif 000017
2019069958.tif 000018